(57)【特許請求の範囲】
【請求項１】
画像形成装置本体の上方に間隙を介して配設される原稿の画像を読み取る画像読取手段と、
前記画像形成装置本体の下部に配設される給紙手段と、
前記給紙手段の側方に別体として設けられて当該給紙手段と係合し、上端面が開口し、この開口内の底面に複数のボスが立設された固定部と、
前記画像読取手段を載置した状態で保持する保持手段であって、前記保持手段における脚部の底面に設けられた複数の挿入孔を前記固定部に設けられた複数のボスに上方から下方に向けて挿入することで固定される保持手段と
を備え、
前記複数の挿入孔のうち、他方の挿入孔は一方の挿入孔よりも大きく形成されていることを特徴とする画像形成装置。
【請求項２】
画像形成装置本体の上方に間隙を介して配設される原稿の画像を読み取る画像読取手段と、
前記画像形成装置本体の下部に配設される給紙手段と、
前記給紙手段の側方に別体として設けられて当該給紙手段と係合し、上端面が開口して底面に複数の挿入孔を有する固定部と、
前記画像読取手段を載置した状態で保持する保持手段であって、前記保持手段における脚部の底面に設けられた複数のボスを前記固定部に設けられた前記複数の挿入孔に上方から下方に向けて挿入することによって固定される保持手段と
を備え、
前記複数の挿入孔のうち、他方の挿入孔は一方の挿入孔よりも大きく形成されていることを特徴とする画像形成装置。
【請求項３】
前記固定部には、前記画像読取手段の電源回路が配設されていることを特徴とする請求項１又は２に記載の画像形成装置。
【請求項４】
前記画像形成装置本体には、前記保持手段の脚部と当接することによって、当該保持手段の脚部が傾くのを防止する緩衝材が設けられていることを特徴とする請求項１乃至３のいずれかに記載の画像形成装置。
【請求項５】
前記保持手段は、複数本の脚部を備え、当該複数本の脚部のうちの一部が、画像形成装置本体の内部に配設された電源ボックスに固定されていることを特徴とする請求項１乃至４のいずれかに記載の画像形成装置。
【請求項６】
前記保持手段の脚部の底面には、前記画像読取手段に通電するためのコネクタが設けられていることを特徴とする請求項１乃至５のいずれかに記載の画像形成装置。
【発明の詳細な説明】
【技術分野】
【０００１】
この発明は、画像形成装置に関するものである。
【背景技術】
【０００２】
【特許文献１】特開２００１−２０３８４０号公報
【０００３】
従来、この種の画像形成装置としては、画像形成装置本体の上方に、原稿の画像を読み取るスキャナーを備え、当該スキャナーで読み取られた原稿の画像を複写したり、電話回線やネットワークを介して送信するように構成したものがある。
【０００４】
その際、上記画像形成装置本体の上方にスキャナーを配設するにあたっては、当該スキャナーを載置するフレームが、画像形成装置本体の背面側のフレームを兼ねるように構成したものがある。
【０００５】
しかし、この場合には、スキャナーを載置するフレームを取り外さないと、画像形成装置本体の内部に配設された画像露光装置などの内部のパーツを修理したり交換することができず、メンテナンス性が悪いという技術的課題を有している。
【０００６】
そこで、かかる課題を解決する技術としては、例えば、特開２００１−２０３８４０号公報等に開示されたものが既に提案されている。
【０００７】
上記特開２００１−２０３８４０号公報に係る画像形成装置は、画像読取ユニットの下方に画像形成ユニットを含む周辺ユニットを配置して構成した画像形成装置において、画像読取ユニットを周辺ユニットの上面との間に間隙を設けて支持するとともに、周辺ユニットに一体的に固定される固定部を有する支持体を設けるように構成したものである。
【発明の開示】
【発明が解決しようとする課題】
【０００８】
ところで、この発明が解決しようとする課題は、画像読取ユニットを周辺ユニットの上面との間に間隙を設けて支持する支持体を、周辺ユニットに一体的に固定する場合に比較して、画像読取手段の取付作業が容易であり、しかも装置全体の小型化が可能な画像形成装置を提供することにある。
【課題を解決するための手段】
【０００９】
すなわち、請求項１に記載された発明は、画像形成装置本体の上方に間隙を介して配設される原稿の画像を読み取る画像読取手段と、
前記画像形成装置本体の下部に配設される給紙手段と、
前記給紙手段の側方に別体として設けられて当該給紙手段と係合し、上端面が開口し、この開口内の底面に複数のボスが立設された固定部と、
前記画像読取手段を載置した状態で保持する保持手段であって、前記保持手段における脚部の底面に設けられた複数の挿入孔を前記固定部に設けられた複数のボスに上方から下方に向けて挿入することで固定される保持手段と
を備え、
前記複数の挿入孔のうち、他方の挿入孔は一方の挿入孔よりも大きく形成されていることを特徴とする画像形成装置である。
【００１０】
また、請求項２に記載された発明は、画像形成装置本体の上方に間隙を介して配設される原稿の画像を読み取る画像読取手段と、
前記画像形成装置本体の下部に配設される給紙手段と、
前記給紙手段の側方に別体として設けられて当該給紙手段と係合し、上端面が開口して底面に複数の挿入孔を有する固定部と、
前記画像読取手段を載置した状態で保持する保持手段であって、前記保持手段における脚部の底面に設けられた複数のボスを前記固定部に設けられた前記複数の挿入孔に上方から下方に向けて挿入することによって固定される保持手段と
を備え、
前記複数の挿入孔のうち、他方の挿入孔は一方の挿入孔よりも大きく形成されていることを特徴とする画像形成装置である。
【００１１】
さらに、請求項４に記載された発明は、前記画像形成装置本体には、前記保持手段の脚部と当接することによって、当該保持手段の脚部が傾くのを防止する緩衝材が設けられていることを特徴とする請求項１乃至３のいずれかに記載の画像形成装置である。
【００１２】
又、請求項５に記載された発明は、前記保持手段は、複数本の脚部を備え、当該複数本の脚部のうちの一部が、画像形成装置本体の内部に配設された電源ボックスに固定されていることを特徴とする請求項１乃至４のいずれかに記載の画像形成装置である。
【００１３】
更に、請求項６に記載された発明は、前記保持手段の脚部の底面には、前記画像読取手段に通電するためのコネクタが設けられていることを特徴とする請求項１乃至５のいずれかに記載の画像形成装置である。
【発明の効果】
【００１４】
請求項１及び２に記載された発明によれば、画像読取手段を画像形成装置本体の上部に間隙を介して保持する保持手段を、周辺ユニットに一体的に固定する場合に比較して、画像読取手段の取付作業が容易であり、しかも装置全体の小型化が可能となる。
【００１５】
また、請求項３に記載された発明によれば、画像読取手段を小型化することができるとともに、画像読取手段の交換にも対応することができる。
【００１６】
さらに、請求項４に記載された発明によれば、保持手段の脚部を確実に保持することができる。
【００１７】
又、請求項５に記載された発明によれば、保持手段の一部の脚部を短く設定することができ、コストダウンが可能となる。
【００１８】
更に、請求項６に記載された発明によれば、画像読取手段の取付作業を容易に行うことができる。
【発明を実施するための最良の形態】
【００１９】
以下に、この発明の実施の形態について図面を参照して説明する。
【００２０】
実施の形態１
図２はこの発明の実施の形態１に係る用紙直接転写方式を採用した画像形成装置としてのタンデム型のフルカラー複合機を示すものである。このフルカラー複合機は、例えば、原稿の画像の複写以外に、パーソナルコンピュータやスキャナー等から送られてくる画像データに基づいたプリント動作や、原稿の画像を読み取って送受信するファクシミリ等の機能を兼ね備えたものである。
【００２１】
図２において、１は画像形成装置本体としてのタンデム型のフルカラー複合機の本体を示すものであり、当該複合機本体１の上部には、間隙Ｇを介して画像読取装置としてのスキャナー６０が配設されている。また、上記フルカラー複合機本体１の内部には、その略中央部に、画像形成ユニット２が上下方向に沿って配設されている。また、フルカラー複合機本体１の内部には、画像形成ユニット２の一側（図示例では、右側）に、画像形成ユニット２で形成された複数色のトナー像が転写される転写材を吸着した状態で搬送する用紙搬送ベルトユニット３が配設されているとももに、当該画像形成ユニット２の他側（図示例では、左側）には、制御回路等を備えた制御ユニット４が、画像形成ユニット２の斜め下方に、高圧電源回路等を備えた電源回路ユニット５が、それぞれ配設されている。また、上記フルカラープリンタ本体１内の底部には、転写材としての転写用紙３７等を給紙する給紙装置３９が配設されている。
【００２２】
上記画像形成ユニット２は、下から順に、イエロー（Ｙ）、マゼンタ（Ｍ）、シアン（Ｃ）、黒（Ｋ）の各色のトナー像を形成する４つの画像形成部７Ｙ、７Ｍ、７Ｃ、７Ｋを備えており、これらの４つの画像形成部７Ｙ、７Ｍ、７Ｃ、７Ｋは、縦方向に沿って一定の間隔を隔てて直列的に配設されている。
【００２３】
これらの４つの画像形成部７Ｙ、７Ｍ、７Ｃ、７Ｋは、形成する画像の色以外はすべて同様に構成されており、大別して、図３に示すように、矢印方向に沿って所定の回転速度で回転する感光体ドラム８と、この感光体ドラム８の表面を一様に帯電する一次帯電用の帯電ロール９と、当該感光体ドラム８の表面に各色に対応した画像を露光して静電潜像を形成する画像露光装置１０と、感光体ドラム８上に形成された静電潜像を対応する色のトナーで現像する現像装置１１と、感光体ドラム８上に残留した転写残トナーをクリーニングするクリーニング装置１２と、現像装置１１にトナーを補給するトナー補給装置１３とから構成されている。
【００２４】
上記画像露光装置１０は、図２に示すように、イエロー（Ｙ）、マゼンタ（Ｍ）、シアン（Ｃ）、黒（Ｋ）の４つの画像形成部７Ｙ、７Ｍ、７Ｃ、７Ｋに共通に構成されており、イエロー（Ｙ）、マゼンタ（Ｍ）、シアン（Ｃ）、黒（Ｋ）の各色の画像データに基づいてレーザービームＬＢを出射する４つの半導体レーザー１４と、当該４つの半導体レーザー１４からそれぞれ出射された４本のレーザービームＬＢを平行光化するコリメータレンズ１５と、前記半導体レーザー１４から出射されたレーザービームＬＢを反射する反射ミラー１６と、この反射ミラー１６で反射されたレーザービームＬＢを偏向走査する回転多面鏡１７と、この回転多面鏡１７で反射されたレーザービームＬＢを各画像形成部７Ｙ、７Ｍ、７Ｃ、７Ｋの感光体ドラム８上に走査露光する複数枚の反射ミラー１８、１９と、レーザービームＬＢを透過する透過ガラス２０とを備えるように構成されている。なお、反射ミラー１８、１９は、レーザービームＬＢの偏向角度（θ）に応じて焦点距離（ｆ）を変える機能を有している。
【００２５】
また、上記現像装置１１は、図３に示すように、現像剤収容部２１に収容された二成分又は一成分の現像剤２２を攪拌しつつ、現像剤供給部材２３を介して現像ロール２４へと供給し、当該現像ロール２４に供給された現像剤２２を層厚規制部材２５によって層厚を規制しながら、感光体ドラム８と対向する現像領域へと搬送し、当該感光体ドラム８の表面に形成された静電潜像を所定の色のトナーで現像するように構成されている。
【００２６】
さらに、上記クリーニング装置１２は、図３に示すように、感光体ドラム８の表面に残留した転写残トナーを、クリーニングブレード２６によって除去し、除去された転写残トナーを楕円状に循環移動する搬送部材２７によってクリーニング装置１２の内部に搬送して収容するようになっている。なお、図３中、クリーニングブレード２６は、感光体ドラム８の表面に当接して弾性変形する前の状態を示している。
【００２７】
また、上記トナー補給装置１３は、内部にトナーのみ又はトナーとキャリアとからなる現像剤２８が収容されており、当該トナー補給装置１３の内部に収容された現像剤２８を、アジテーター２９によって所定のタイミングで攪拌しつつ、現像装置１１に補給するように構成されている。
【００２８】
上記フルカラー複合機本体１の内部には、図２に示すように、制御ユニット４が配設されており、この制御ユニット４には、例えば、画像データに対して所定の画像処理を施す画像処理装置３０が設けられている。この画像処理装置３０からは、画像露光装置１０にイエロー（Ｙ）、マゼンタ（Ｍ）、シアン（Ｃ）、黒（Ｋ）の各色の画像データが順次出力され、この画像露光装置１０から画像データに応じて出射される４本のレーザービームＬＢが、それぞれの感光体ドラム８Ｙ、８Ｍ、８Ｃ、８Ｋ上に走査露光されて静電潜像が形成される。上記各感光体ドラム８Ｙ、８Ｍ、８Ｃ、８Ｋ上に形成された静電潜像は、現像装置１１Ｙ、１１Ｍ、１１Ｃ、１１Ｋによって、それぞれイエロー（Ｙ）、マゼンタ（Ｍ）、シアン（Ｃ）、黒（Ｋ）の各色のトナー像として現像される。
【００２９】
さらに、上記用紙搬送ベルトユニット３は、図２に示すように、無端状ベルトとして、切れ目が無く循環し移動する用紙搬送ベルト３１を備えており、当該用紙搬送ベルト３１は、各画像形成部１３Ｙ、１３Ｍ、１３Ｃ、１３Ｋで形成されたイエロー（Ｙ）、マゼンタ（Ｍ）、シアン（Ｃ）、黒（Ｋ）の各色のトナー像が転写される転写材としての転写用紙３７を静電的に吸着した状態で搬送するように構成されている。また、上記用紙搬送ベルトユニット３は、後述する反転用の用紙搬送経路５０に設けられた搬送ロール４９と共に一体的にユニット化されており、転写用紙３７のジャム等が発生した場合に、図４に破線で示すように、プリンタ本体１のサイドカバー３２を開けることにより、プリンタ本体１に対して時計周り方向に回動した退避位置に移動可能となっている。
【００３０】
上記用紙搬送ベルト３１は、図５に示すように、鉛直方向に沿って配設された張架ロールとしての駆動ロール３３と従動ロール３４との間に、所定のテンションで張架されており、例えば、駆動モータ３５によって図示しないギア等を介して回転駆動される駆動ロール３３によって、所定の速度で時計周り方向に沿って循環移動するように構成されている。上記駆動ロール３３と従動ロール３４との距離は、例えば、Ａ３サイズの転写用紙３７の長さと略等しい長さに設定されているが、これに限らず、駆動ロール３３と従動ロール３４との距離は、任意に設定して良いことは勿論である。上記用紙搬送ベルト３１としては、例えば、可撓性を有するポリイミド等の合成樹脂フィルムを無端ベルト状に形成したものが用いられる。
【００３１】
また、上記従動ロール３４の表面には、図２に示すように、転写用紙３７を用紙搬送ベルト３１の表面に静電的に吸着させるための吸着ロール３６が、用紙搬送ベルト３１を介して当接するように配設されている。この吸着ロール３６は、例えば、画像形成部７Ｙ、７Ｍ、７Ｃ、７Ｋの帯電ロール９と同様に、金属製芯金の表面に導電性ゴムを被覆して構成されており、金属製芯金に所定の吸着用のバイアス電圧が印加されるようになっている。そして、吸着ロール３６は、給紙装置６から送られてくる転写用紙３７を静電的に帯電して、用紙搬送ベルト３１の表面に吸着させるように構成されている。
【００３２】
上記各画像形成部７Ｙ、７Ｍ、７Ｃ、７Ｋの感光体ドラム８Ｙ、８Ｍ、８Ｃ、８Ｋ上に形成されたイエロー（Ｙ）、マゼンタ（Ｍ）、シアン（Ｃ）、黒（Ｋ）の各色のトナー像は、図２に示すように、用紙搬送ベルト３１の表面に吸着された状態で搬送される転写用紙３７上に、転写ロール３８Ｙ、３８Ｍ、３８Ｃ、３８Ｋによって互いに重ね合わされた状態で多重に転写される。なお、上記転写ロール３８Ｙ、３８Ｍ、３８Ｃ、３８Ｋは、図４及び図５に示すように、用紙搬送ベルトユニット３側に一体的に取り付けられている。
【００３３】
上記転写用紙３７は、図２に示すように、プリンタ本体１の底部に配設された給紙装置６から給紙される。この給紙装置６は、所望のサイズや材質の転写用紙３７を収容した用紙トレイ３９を備えており、当該用紙トレイ３９からは、所望のサイズや材質の転写用紙３７が給送ロール４０によって給送されるとともに、供給ロール４１と捌きロール４２によって１枚ずつ分離された状態で給紙され、給紙手段としてのレジストロール４３を介して所定のタイミングで用紙搬送ベルト３１上の吸着位置へと搬送されるようになっている。
【００３４】
なお、上記転写用紙３７としては、シート状部材であって、例えば、Ａ４サイズやＡ３サイズ、あるいはＢ５サイズやＢ４サイズなど種々のサイズ、及び、普通紙、コート紙等の厚紙や、ＯＨＰシートなど、種々の材質のものが用いられる。
【００３５】
そして、イエロー（Ｙ）、マゼンタ（Ｍ）、シアン（Ｃ）、黒（Ｋ）の各色のトナー像が多重に転写された転写用紙３７は、図２に示すように、当該転写用紙３７自身が有する剛性（所謂、コシ）によって用紙搬送ベルト３１から分離された後、ガイド部材５３を介して定着装置４４へと搬送され、定着装置４４によって熱及び圧力で、各色のトナー像が転写用紙３７上に定着される。上記用紙搬送ベルト３１と定着装置４４は、近接して配設されており、定着装置４４から分離された転写用紙３７は、用紙搬送ベルト３１の搬送力によって定着装置４４へと搬送される。その後、各色のトナー像が定着された転写用紙３７は、定着装置４４の出口ロール４５を介して、排出ロール４６によって、フルカラープリンタ本体１の上部に設けられた排出トレイ４７上にプリント面を下にした状態で排出され、プリント動作が終了する。
【００３６】
なお、上記フルカラープリンタでは、フルカラーの画像に限らず、モノクロなど所望の色の画像をプリントすることが可能となっており、プリントする画像の色に応じて、イエロー（Ｙ）、マゼンタ（Ｍ）、シアン（Ｃ）、黒（Ｋ）のすべて、又は一部の画像形成部７Ｙ、７Ｍ、７Ｃ、７Ｋによってトナー像が形成される。
【００３７】
また、上記フルカラープリンタによって転写用紙３７の両面に画像を形成する場合には、定着装置４４によって片面に画像が定着された転写用紙３７を、そのまま排出ロール４６によって排出トレイ４７上に排出せずに、転写用紙３７の後端が排出ロール４６によって保持された状態で、当該排出ロール４６を一旦停止させて逆転させるとともに、切り替えゲート４８によって、転写用紙３７の搬送経路を上方に切り替え、プリンタ本体１の一側面に沿って設けられた搬送ロール４９を備えた反転用の用紙搬送経路５０へと搬送する。そして、この反転用の用紙搬送経路５０に搬送された転写用紙３７は、その表裏が反転された状態で、再度、レジストロール４３によって用紙搬送ベルト３１の吸着位置まで搬送され、裏面にトナー像が転写された後、定着装置４４によって熱及び圧力で定着処理が施され、排出ロール４６によってプリンタ本体１の上部に設けられた排出トレイ４７上に排出されるようになっている。
【００３８】
なお、図２中、符号５１は複合機本体１の側面に設けられた図示しない手差しトレイから、所望のサイズ及び材質の転写材を給紙するための給紙ロールを、５２は給紙ロール５１によって給紙された転写材をレジストロール４３へ搬送する搬送ロールをそれぞれ示している。
【００３９】
ところで、この実施の形態では、画像形成装置本体の上方に間隙を介して配設される原稿の画像を読み取る画像読取手段と、
前記画像形成装置本体の下部に配設される給紙手段と、
前記画像読取手段を載置した状態で保持し、前記給紙手段に一体又は別体として設けられた固定部に上方から下方に向けて挿入することによって固定される脚部を有する保持手段とを備えるように構成されている。
【００４０】
すなわち、この実施の形態では、図６に示すように、複合機本体１の上方に、間隙Ｇを介して画像読取装置としてのスキャナー６０が、保持手段としてのスキャナーフレーム６１に載置された状態で配設されている。上記スキャナーフレーム６１は、図１に示すように、フレームカバー６２を取り外すと、２本の脚部６３、６４を有しているとともに、当該２本の脚部６３、６４の上端部には、スキャナー６０を載置した状態で固定するための２本の腕部６５、６６が、水平方向の一方に向けて片持ち梁状に取り付けられている。また、上記２本の脚部６３、６４は、図７に示すように、水平方向に沿って掛け渡された複数の連結部材６７〜６９によって、互いに平行に立設するように連結されている。
【００４１】
また、上記フルカラー複合機本体１の下部には、図２に示すように、転写用紙３７を給紙する給紙装置３９が配設されており、当該給紙装置３９の一側には、図８に示すように、スキャナーフレーム６１の２本の脚部６３、６４を挿入することによって固定する固定部７０が、複合機本体１の外部に位置するように、給紙装置３９と一体的に又は別体として設けられている。
【００４２】
なお、図８に示す実施例では、固定部７０が給紙装置３９と別体として構成されており、この固定部７０は、図９に示すように、給紙装置３９の係合部７１と固定部７０の凹部７２との係合を外すことによって分離自在となっている。
【００４３】
上記固定部７０は、給紙装置３９と一体的に構成しても良いことが勿論であり、この場合には、部品点数を減少させることができる。
【００４４】
この固定部７０は、図８及び図９に示すように、合成樹脂単体や金属によって補強された合成樹脂等によって、上端面が全面開口した直方体状の箱体として構成されており、当該固定部７０の内部には、図７に示すように、スキャナーフレーム６１の２本の脚部６３、６４を挿入することによって固定されるように構成されている。また、上記固定部７０の内部には、図８に示すように、補強用の複数のリブ７３が立設されており、スキャナーフレーム６１の２本の脚部６３、６４を上方から下方に向けて挿入した状態で固定した際に、十分な強度を有するようになっている。
【００４５】
さらに、上記スキャナーフレーム６１の２本の脚部６３、６４は、図７に示すように、例えば、薄肉又は厚肉の板金を断面コ字形状や断面矩形状に折り曲げ加工することによって形成されており、薄肉の板金を用いた場合には、十分な剛性を持たせるために断面矩形状に形成され、厚肉の板金を用いた場合には、材料を軽減するために断面コ字形状に形成される。なお、上記脚部６３、６４は、円筒形状に形成しても良い。また、上記スキャナーフレーム６１の２本の脚部６３、６４は、図７に示すように、その底面に折り曲げられた板金７４が設けられており、当該底面に位置する板金７４には、図１０に示すように、固定部７０内の底面に垂直に立設されたボス７５を挿入するための挿入孔７６、７７が開口されている。その際、一方の脚部に開口される挿入孔７６は、固定部７０の底面に立設されたボスの外径よりも僅かに大きく形成されているとともに、他方の脚部６４に開口される挿入孔７７は、寸法誤差を吸収できるように長孔となっている。
【００４６】
また、上記スキャナーフレーム６１の２本の脚部６３、６４を固定部７０に挿入した状態で固定する構造としては、例えば、図１１（ａ）〜（ｃ）に示すように、断面コ字形状に形成された２本の脚部６３、６４に対応した取付用の孔７８、７９を固定部に形成したり、スキャナーフレーム６１の脚部６３、６４の底面に円柱状や角柱状のボス８０、８１を突設するとともに、当該ボス８０、８１に対応した取付用の孔８２、８３及び８４、８５を固定部に形成したものを用いても良い。これらの場合であっても、一方の脚部を固定する取付用の孔８２、８３は、脚部６３、６４の肉厚や外径よりも僅かに大きく形成されているとともに、他方の脚部６３、６４を固定する取付用の孔８４、８５は、脚部の肉厚よりも開口幅がある程度大きく形成したり、長孔に形成するのが望ましい。
【００４７】
さらに、上記給紙装置３９の固定部７０には、図７に示すように、その内部にスキャナーの電源やコントローラ等の電源ユニット８６を挿入するように構成しても良い。こうした場合には、スキャナーの電源やコントローラ等の電源ユニット８６を複合機本体１やスキャナー６０の内部に配設した場合に比較して、複合機本体１やスキャナー６０を小型化することができる。また、スキャナーの電源やコントローラ等の電源ユニット８６をスキャナー６０の内部に配設した場合に比較して、スキャナー６０を軽量化することができる。さらに、給紙装置３９の固定部７０にスキャナー６０の電源のみを配設し、スキャナーのコントローラをスキャナー６０の内部に配設することにより、スキャナー６０の解像度やスキャン速度に応じて、スキャナー６０を交換した際に、同時にコントローラを交換することが可能となる。
【００４８】
さらに、上記給紙装置３９の固定部７０にスキャナーの電源やコントローラ等の電源ユニット８６を内蔵させた場合には、スキャナーフレーム６１の脚部６３、６４の底面に、スキャナー６０に通電するためのコネクター８７を設けるのが望ましい。このように構成することによって、スキャナーフレーム６１の脚部６３、６４を固定部７０に挿入するだけで、スキャナー６０に通電することができ、スキャナー６０の設置や交換作業を容易に行うことができる。
【００４９】
また、この実施の形態では、図１３に示すように、複合機本体１には、スキャナーフレーム６１の一方の脚部６４と当接することによって、スキャナーフレーム６１の脚部６３、６４が傾くのを防止するゴム等からなる緩衝材８８が設けられている。
【００５０】
以上の構成において、この実施の形態に係るフルカラー複合機では、次のようにして、画像読取ユニットを周辺ユニットの上面との間に間隙を設けて支持する支持体を、周辺ユニットに一体的に固定する場合に比較して、画像読取手段の取付作業が容易であり、しかも装置全体の小型化が可能となっている。
【００５１】
すなわち、この実施の形態に係るフルカラー複合機では、図１に示すように、フルカラー複合機本体１の上方に間隙Ｇを介してスキャナー６０を配設するに当たり、当該スキャナー６０を載置した状態で固定するためのスキャナーフレーム６１の２本の脚部６３、６４を、図１４に示すように、フルカラー複合機本体１の下部に設けられた給紙装置３９の固定部７０に挿入した状態で固定し、スキャナーフレーム６１の２本の腕部６３、６４にスキャナー６０を必要に応じてネジ止め等によって載置した状態で固定するだけで、スキャナー６０の取り付け作業が完了する。そのため、スキャナー６０の取付作業が非常に容易であり、しかも複合機本体１の給紙装置３９に固定部７０を設けるだけで良いので、複合機全体の小型化も可能となっている。
【００５２】
なお、上記フルカラー複合機は、図１５に示すように、給紙装置３９の固定部７０を取り外すことでプリンターとしても使用可能である。
【００５３】
実施の形態２
図１６及び図１７はこの発明の実施の形態２を示すものであり、前記実施の形態１と同一の部分には同一の符号を付して説明すると、この実施の形態２では、前記保持手段は、複数本の脚部を備え、当該複数本の脚部のうちの一部が、画像形成装置本体の内部に配設された電源ボックスに固定されるように構成されている。
【００５４】
すなわち、この実施の形態２に係るフルカラー複合機では、図１６及び図１７に示すように、フルカラー複合機本体１の内部に、制御回路等を備えた制御ユニット４から構成される低圧電源回路９０が配設されており、当該制御ユニット４から構成される低圧電源回路９０は、ノイズの影響等を防止するために、金属製のフレーム９１によって囲まれた略箱体状に形成されており、十分な剛性を有している。
【００５５】
そこで、この実施の形態２では、図１６及び図１７に示すように、スキャナーフレーム６１の２本の脚部６３、６４のうち、一方の脚部６３が前記実施の形態１と比較して、フルカラー複合機本体１の内部にシフトした位置に配設されているとともに、当該一方の脚部は短く形成されており、この一方の脚部６３は、フルカラー複合機本体１の内部に配設された制御回路等を備えた制御ユニット４から構成される低圧電源回路９０の上部に載置された状態で支持固定されている。
【００５６】
このように構成することによって、スキャナーフレーム６１の２本の脚部６３、６４のうち、一方の脚部６３を大幅に短く形成することができ、材料費の軽減や装置の小型化等に寄与することができる。
【００５７】
その他の構成及び作用は、前記実施の形態と同様であるので、その説明を省略する。
【図面の簡単な説明】
【００５８】
【図１】図１はこの発明の実施の形態１に係る画像形成装置としてのタンデム型のフルカラー複合機を示す分解斜視図である。
【図２】図２はこの発明の実施の形態１に係る画像形成装置としてのタンデム型のフルカラー複合機を示す構成図である。
【図３】図３はこの発明の実施の形態１に係る画像形成装置としてのタンデム型のフルカラー複合機の画像形成部を示す構成図である。
【図４】図４はこの発明の実施の形態１に係る画像形成装置としてのタンデム型のフルカラー複合機のカバーを開けた状態を示す構成図である。
【図５】図５は用紙搬送ベルトの配設状態を示す構成図である。
【図６】図６はこの発明の実施の形態１に係る画像形成装置としてのタンデム型のフルカラー複合機を示す斜視図である。
【図７】図７はこの発明の実施の形態１に係る画像形成装置としてのタンデム型のフルカラー複合機を示す分解斜視図である。
【図８】図８はこの発明の実施の形態１に係る画像形成装置としてのタンデム型のフルカラー複合機の給紙部を示す分解斜視図である。
【図９】図９はこの発明の実施の形態１に係る画像形成装置としてのタンデム型のフルカラー複合機を示す分解斜視図である。
【図１０】図１０は脚部の嵌合状態を示す構成図である。
【図１１】図１１は他の脚部の嵌合状態を示す構成図である。
【図１２】図１２は他の脚部の嵌合状態を示す構成図である。
【図１３】図１３はこの発明の実施の形態１に係る画像形成装置としてのタンデム型のフルカラー複合機を示す分解斜視図である。
【図１４】図１４はこの発明の実施の形態１に係る画像形成装置としてのタンデム型のフルカラー複合機を示す分解斜視図である。
【図１５】図１５はこの発明の実施の形態１に係る画像形成装置としてのタンデム型のフルカラー複合機を示す分解斜視図である。
【図１６】図１６はこの発明の実施の形態２に係る画像形成装置としてのタンデム型のフルカラー複合機を示す分解斜視図である。
【図１７】図１７はこの発明の実施の形態２に係る画像形成装置としてのタンデム型のフルカラー複合機を示す分解斜視図である。
【符号の説明】
【００５９】
１：複合機本体、６０：スキャナー（画像読取装置）、６１：スキャナーフレーム、６３、５４：脚部、７０：固定部。
【図１】
0004683039.tif 000002
【図２】
0004683039.tif 000003
【図３】
0004683039.tif 000004
【図４】
0004683039.tif 000005
【図５】
0004683039.tif 000006
【図６】
0004683039.tif 000007
【図７】
0004683039.tif 000008
【図８】
0004683039.tif 000009
【図９】
0004683039.tif 000010
【図１０】
0004683039.tif 000011
【図１１】
0004683039.tif 000012
【図１２】
0004683039.tif 000013
【図１３】
0004683039.tif 000014
【図１４】
0004683039.tif 000015
【図１５】
0004683039.tif 000016
【図１６】
0004683039.tif 000017
【図１７】
0004683039.tif 000018